(57)【要約】流体ディスペンサ部材およびそうした部材を有するディスペンサ  流体容器（９）の開口部（９０）に設置するための流体ディスペンサ部材であって、前記部材は、容積が変化可能なチャンバ（１５）を内側に形作っている本体（１）であって、下側端部（１０）を形作っている前記本体と、前記本体の中で軸方向に往復運動が可能で、それによって前記チャンバの容積を変化させる駆動ロッド（７）であって、本体の中で係合している下側部分と上側端部（７９）を形作っている上側部分とを有する前記ロッドと、径方向外向きに延びている周縁受けカラー（５２）であって、流体容器の開口部（９０）の縁（９１１）と、少なくとも間接的に受け接触するよう設計された底面（５１）を有する前記カラーと、そして、カラー（５２）と開口部の縁（９１１）との間で圧縮されるようカラーの底面（５１）と接触する位置に置かれたネックガスケット（２）と、を有し、カラーの底面を駆動ロッドの上側端部から軸方向に隔てている軸方向の高さHS１は、カラーの底面を本体の下側端部から軸方向に隔てている軸方向の高さHI１にほぼ等しいこと、を特徴とする前記部材。
2006512205.tif 000002
【特許請求の範囲】
【請求項１】
流体容器（９）の開口部（９０）に設置するための流体ディスペンサ部材であって、前記部材は、
容積が変化可能なチャンバ（１５）を内側に形作っている本体（１）であって、下側端部（１０）を形作っている前記本体と、
前記本体の中で軸方向に往復運動が可能で、それによって前記チャンバの容積を変化させる駆動ロッド（７）であって、本体の中で係合している下側部分と上側端部（７９）を形作っている上側部分とを有する前記ロッドと、
径方向外向きに延びている周縁受けカラー（５２）であって、流体容器の開口部（９０）の縁（９１１）と、少なくとも間接的に受け接触するよう設計された底面（５１）を有する前記カラーと、そして、必至ではないが、
カラー（５２）と開口部の縁（９１１）との間で圧縮されるようカラーの底面（５１）と接触する位置に置かれたネックガスケット（２）と、を有し、
特徴となるのは、
カラーの底面と駆動ロッドの上側端部との間の軸方向の高さHS１は、カラーの底面と本体の下側端部との間の軸方向の高さHI１にほぼ等しいことである、
という前記部材。
【請求項２】
流体容器（９）の開口部（９０）に設置するための流体ディスペンサ部材であって、前記部材は、
容積が変化可能なチャンバ（１５）を内側に形作っている本体（１）であって、下側端部（１０）を形作っている前記本体と、
前記本体の中で軸方向に往復運動が可能で、それによって前記チャンバの容積を変化させる駆動ロッド（７）であって、本体の中で係合している下側部分と上側端部（７９）を形作っている上側部分とを有する前記ロッドと、
径方向外向きに延びている周縁受けカラー（５２）であって、底面（５１）を有する前記カラーと、そして、
上面（２１）と底面（２２）とを有するネックガスケット（２）であって、上面（２１）はカラー（５２）の底面（５１）と接触しており、底面（２２）は容器（９）の開口部（９０）の縁（９１１）と接触するよう設計されている前記ガスケットと、を有し、  
特徴となるのは、
ガスケットの底面と駆動ロッドの上側端部との間の軸方向の高さHS２は、ガスケットの底面と本体の下側端部との間の軸方向の高さHI２にほぼ等しいことである、
という前記部材。
【請求項３】
HS１、HS２、HI１、HI２は全て約７〜９mmであること、
を特徴とする請求項１または２に記載のディスペンサ部材。
【請求項４】
ロッド（７）の上側部分に設置され、ディスペンサ開口部（８１）を形成しているディスペンサヘッド（８）をさらに有し、前記ヘッドは、上側端部（８３’）を形作っており、カラーの底面とヘッドの上側端部との間の軸方向の高さHS３は、カラーの底面と本体の下側端部との間の軸方向の高さHI２よりもわずかに大きいこと、
を特徴とする請求項１乃至３のいずれかに記載のディスペンサ部材。
【請求項５】
HS３は、約９〜１０mmであること、
を特徴とする請求項４に記載のディスペンサ部材。
【請求項６】
ガスケットの厚みは、約０．５〜１mmであること、
を特徴とする請求項５に記載のディスペンサ部材。
【請求項７】
ヘッドを除いた軸方向の高さHTが約１６〜１７mmであること、
を特徴とする請求項１乃至６のいずれかに記載のディスペンサ部材。
【請求項８】
全体的な軸方向の高さHTが約１７〜１９mmであること、
を特徴とする請求項１乃至７のいずれかに記載のディスペンサ部材。
【請求項９】
開口部の縁の外部で本体（１）を囲む形で延びるよう設計されたかぶせフープ（４）であって、上側端部（４１）を有する前記フープと、そして、
ロッドの上側部分に設置され、側面ディスペンサ開口部（８１）を形作っているディスペンサヘッド（８）であって、フープの上側端部の内部で軸方向に移動が可能である前記ヘッドと、をさらに有すること、
を特徴とする請求項１乃至８のいずれかに記載のディスペンサ部材。
【請求項１０】
フープは固定リング（３）に設置されており、当該固定リングは本体（１）および容器（９）と係合していること、
を特徴とする請求項９に記載のディスペンサ部材。
【請求項１１】
開口部（９０）を備えた容器を形作る流体容器および容器の開口部の上に設置された請求項１乃至１０のいずれかに記載のディスペンサ部材の両方を有すること、
を特徴とする流体ディスペンサ。
【請求項１２】
容器（９）は、開口部（９０）を形作る実質的に筒状の突き出したネック（９１）であって、カラー（５２）またはガスケット（２）が休止する環状の縁（９１１）を形成する上側自由端部を形作っている前記ネックと、容器の本体に接続された下側端部とを有し、前記本体の下側端部（１０）はネックの中にあること、
を特徴とする請求項１１に記載のディスペンサ。
【請求項１３】
ネックの軸方向の高さHCは、内径が約８mmで外径が約１３mmの場合、約７〜９mmであること、
を特徴とする請求項１１および１２に記載のディスペンサ。
【発明の詳細な説明】
【技術分野】
【０００１】
本発明は、流体容器の開口部に設置するための流体ディスペンサ部材に関する。また、本発明は、ディスペンサ部材と流体容器とを有する流体ディスペンサに関する。そうした部材が装着されたこうしたディスペンサは、特に香水、化粧品、さらには薬品の分野において使用されている。スプレー噴流、連続噴射、さらには大粒の滴の形で流体または粉末を投与するよう設計されている。
【背景技術】
【０００２】
一般的に、こうしたディスペンサ部材は、容積が変化可能なチャンバを内部に形作っている本体であって、下側端部を形作っている前記本体と、前記本体の中で軸方向に往復運動させることができ、そのため前記チャンバの容積を変化させる駆動ロッドであって、本体の中で係合する下側部分と上側端部を形作る上側部分とを有する前記ロッドと、径方向外向きに延びている周縁受けカラーであって、少なくとも間接的に流体容器の開口部の縁に受け接触するように設計された底面を有する前記カラーと、そして、必至ではないが、カラーの底面と接触する位置に置かれてカラーと開口部の縁との間で圧縮されるネックガスケットとを有する。ネックガスケットの厚みは、１０分の数mmしかないため、容器の開口部に挿入されたディスペンサ部材の高さと容器の開口部から突き出したディスペンサ部材の高さとは、周縁受けカラーによって決まる。外観上の理由だけでなく機能面での理由から、受けカラーの上に出ているディスペンサ部材の高さは、高すぎないことが効果的である。そのため、殆どのディスペンサ部材は比較的細長い本体を有し、当該本体はほぼ全体が容器の開口部の内部に係合している。開口部が比較的細長いネックによって形作られている場合には、ディスペンサ部材がネックの下方に容器の本体の中まで突き出していない、という形にすることも可能である。しかし、ネックが極めて短い場合には、標準型の容器の場合と同様に、ディスペンサ部材、さらに具体的に言えばその本体は、容器の本体の内部まで入り込むため、容器が透明ならば前記容器の本体の内部にディスペンサ部材の本体が見えてしまう。このことは、特にディスペンサ部材をできる限り隠すことが例外なく望ましい香水の分野において、あまり望ましくない外観を示す。
【０００３】
いずれにせよ、殆どのディスペンサ部材では、カラーの下の部分における高さは、カラーの上の部分の高さの３倍あるいは４倍も大きい。
【発明の開示】
【発明が解決しようとする課題】
【０００４】
本発明は、特にコンパクトで、実質的にはいかなる高さの容器のネックとも共用できると同時に、特にバランスが良い、というディスペンサ部材を形作ることを目的とする。
【課題を解決するための手段】
【０００５】
本発明の特徴によれば、カラーの底面と駆動ロッドの上側端部との間の軸方向の高さHS１は、カラーの底面と本体の下側端部との間の軸方向の高さHI１にほぼ等しいこととする。
変形例の形において、ガスケットの底面と駆動ロッドの上側端部との間の軸方向の高さHS２は、ガスケットの底面と本体の下側端部との間の軸方向の高さHI２とほぼ等しくなっている。
【０００６】
ネットガスケットは極めて薄いため、カラーはディスペンサ部材の下からほぼ半分の位置に配置されていることになる。
【発明の効果】
【０００７】
効果的な構成として、HS１、HS２、HI１、HI２は全て約７〜９mmであることとする。したがって、ディスペンサ部材の全長はほぼ１４mm〜１８mm（好ましくは１６mm〜１７mm）であるが、これは、化粧品、香水、または薬品の分野においては特に小さい数字である。そのため、ディスペンサ部材は、高さが平均的さらには短いネックの内部でも実質的に目に見えない。本体の下側端部は、ネックの下で容器の本体の中に突き出していさえしない。
【０００８】
本発明において、別の側面によれば、ディスペンサ部材は、ロッドの上側部分に設置されディスペンサ開口部を形成しているディスペンサヘッドをさらに有し、前記ヘッドは、上側端部を形作っており、カラーの底面とヘッドの上側端部との間の軸方向の高さHS３は、カラーの底面と本体の下側端部との間の軸方向の高さHI２よりもわずかに大きいこととする。複数の異なったディスペンサヘッドをいずれか１つのディスペンサ部材に設置できることから、ディスペンサヘッドは、ディスペンサ部材の付属品と考えられる。本発明において、HS３は、約９〜１０mmであることとする。また、ガスケットに関しては厚みが約０．５〜１mmであること、ヘッドを除いた軸方向の高さHTは約１６〜１７mmであること、そして、ディスペンサを含めた全体的な軸方向の高さHTは約１７〜１９mmにしてもよいこととする。
【０００９】
本発明において、さらに別の側面によれば、開口部の縁の外部で本体を囲む形で延びるよう設計されたかぶせフープであって、上側端部を有する前記フープと、そして、ロッドの上側部分に設置され、側面ディスペンサ開口部を形作っているディスペンサヘッドであって、フープの上側端部の内部で軸方向に移動が可能である前記ヘッドと、をさらに有することとにしてもよい。この場合には、フープは固定リングに設置されており、当該固定リングは本体および容器と係合していることとする。一般的に、かぶせフープはネックの高さ全体にわたってその外部に延びており、ディスペンサはネックの下方に突き出してさえいないため、容器の本体の中に挿入されているディスペンサのうちカラーの下の部分は目に見えさえしない。
【００１０】
さらに、本発明は、開口部を備えた容器を形作る流体容器および容器の開口部の上に設置された上述されたディスペンサ部材の両方を有する流体ディスペンサを提供する。効果的な構成として、容器は、開口部を形作る実質的に筒状の突き出したネックであって、カラーまたはガスケットが休止する環状の縁を形成する上側自由端部を形作っている前記ネックと、容器の本体に接続された下側端部とを有し、前記本体の下側端部は、容器の本体の中まで延びないようネックの中にあることとする。好ましい構成として、ネックの軸方向の高さHCは、内径が約８mmで外径が約１３mmの場合、約７〜９mmであることとする。
【発明を実施するための最良の形態】
【００１１】
以下、非限定的な例として本発明の実施の形態を示す添付図面を参照しながら、本発明に関してさらに詳細に説明する。
本発明の例示のため使われ、図示されているディスペンサ部材は、全体的に筒形のポンプ本体１を有するポンプである。しかし、本体１には、下側部分１３と上側部分１４とを形作るよう段がつけられている。上側部分１４の径は、下側部分１３の径より大きい。下側部分１３の下側端部には、当該下側部分１３において外部が本体１の内部に通じるようにする入り口１１が形作られている。入り口１１は入り口スリーブによって形作られており、当該入り口スリーブは、下側端部１０を備え、これは本体１の最下部の末端も形成している。
【００１２】
入り口１１には、入り口弁１５’に対応した入り口弁座が形作られており、当該入り口弁は密封位置と開放位置との間で軸方向に移動させることができる。
さらに、外側密封リップ６１を備えたフリーピストン６が、密封様態でスライド移動するよう上側部分１４の内部に係合されており、そのため当該上側部分は密封されたスライド容器を形作っている。これにより、ポンプチャンバ１５が、本体１内部において、弁１５’によって選択的に閉じられる入り口１１とフリーピストン６との間に規定されている。チャンバの容積は、上側部分１４の内部でのピストン６の移動に応じて変化する。
【００１３】
フリーピストンは駆動ロッド７に設置されており、当該駆動ロッドは上側部分１４、そして下側部分１３の中にも通る。フリーピストン６は、スライド移動可能な形で駆動ロッドに設置されている。そして、ピストンと駆動ロッドとは共に出口弁を形作っており、当該出口弁は、ピストン６が駆動ロッド７の部分に沿ってスライド移動することによって機能する。事前圧縮スプリングは、ピストン６を密封位置、つまり休止位置まで押しやることを可能にする。ポンプチャンバ１５の内部で圧力が高まるとすぐに、フリーピストン６はロッド７に沿って移動され、それによって出口弁を開ける。これは、出口弁を作るための従来の技術である。駆動ロッド７は内部流路を形作っており、ポンプチャンバ１５の内部で圧力を加えられた流体は、当該内部流路を経て開放出口弁を通り抜け、流出することができる。また、駆動ロッド７は上側端部７９を形作っており、当該上側端部も環状プレートの形となっている。駆動ロッド７は、ポンプチャンバ１５の外側にある戻しスプリング７６によって休止位置まで動かされる。
【００１４】
また、ポンプはフェルール５を有し、当該フェルールは、ピストン６および駆動ロッド７の上側の停止点、つまり休止位置を規定する。言い換えれば、ピストン６は、駆動ロッド７に力が加えられなくなった時点でフェルール５に受け接触することになる。さらに、フェルール５には、径方向外向きに延びる受けカラー５２が形成されている。受けカラー５２は、下側部分１３と上側部分１４との間の接合点のあたりで、本体１を囲む形に延びている。環状の受けカラー５２は、環状のネックガスケット２と接触している底面５１を有する。このガスケットは、カラーの底面５１に接触している上面２１と下方に向いている底面２２とを有する。ガスケットの底面２２は、容器９のネック９１の上側端部エッジ９１１と接触するよう設計されている。このように、ネック９１は、流体を格納する容器の本体にアクセスすることを可能にする開口部９０を形作っている。ネック９１を、図２から見て取れるように、外向きに延びているショルダー９２によって容器の本体に接続した形にすることもできる。また、ネック９１は、径方向外向きに突き出した外側の周縁補強部分９１０を示すことにしてもよい。
【００１５】
本発明のディスペンサ部材には、従来通り、ディスペンサヘッド８が駆動ロッドの上側端部に設置される形で装着されている。ディスペンサヘッドは、プッシャとして働くが、駆動ロッドによって形成された流路を出口開口部８１（スプレーノズル型にしてもよい）に接続するディスペンサチャネル８２を有している。必須ではないが、ディスペンサヘッドには、ディスペンサヘッドの周囲全体に延びたかぶせキャップ８３を設けてもよい。かぶせキャップは、指を使って押さえつけることができる上側押さえ面８３’、およびこの面８３’から下向きに延びている筒状の周縁スカート８４の両方を有する。
【００１６】
さらに、ディスペンサ部材はディスペンサ部材をネック９１に固定できるようにする固定リング３を有する。従来通りの形で、固定リング３は、投与部材をたとえばそのカラー５２を介して収容するための収容手段と、さらにネック９１の周縁補強部分９１０の下に係合するよう設計されたヘッド３１を示す固定タブとを有する。これは、特定の実施の形態を構成しているが、他の技術を使った他の固定リングも使うことができる。たとえば、ネック９１の内部に係合する固定リングを考えることも可能である。
【００１７】
別の特徴によると、投与部材は、固定リング３を覆うかぶせフープ４を有する。かぶせフープ４は、内向きのリムが形成された上側端部と下側自由端部とを有する。このフープは、高さ全体にわたって実質的に筒状となっている。本発明において、ディスペンサヘッド８は、かぶせフープ４の内部で軸方向に移動することができる。スカート８４の下側端部は、休止位置においてさえ、フープ４の上側端部４１に挿入されている。また、留意すべき点として、かぶせフープ４はネック９の高さにわたって延びており、その下側端部４２は、効果的な構成としてショルダー９２と受け接触することになる。そうなれば、ネック９１はもはや目に見えない。
【００１８】
本発明の効果的な特徴により、カラー５２の底面５１と駆動ロッドの上側端部７９との間に規定される軸方向の高さHS１は、カラー５１の底面と本体１の下側端部１０との間に規定される軸方向の高さHI１とほぼ等しくなっている。また、ネックガスケット２の厚みはほぼ０．５mm〜１mmと小さいため、ガスケット２の底面２２と上側端部７９との間に規定される軸方向の高さHS２は、ガスケット２の底面２２と本体１の下側端部１０との間に規定される高さHI２とほぼ等しい、と言うことができる。結果として、ポンプのうちネック９１に挿入されている部分の高さは、単にポンプの付属物にすぎないディスペンサヘッド８を除いた場合、ポンプのうちネックから突き出している部分の高さとほぼ等しい。さらには、ディスペンサヘッド８に関しても、カラー５２の底面５１とディスペンサヘッド８の上側押さえ面８３’との間に規定される軸方向の高さHS３は、カラー５２の底面と本体１の底面１０との間に規定される高さHI１とはほぼ等しいか、またはそれよりほんの少し大きくなっている。当然のことながら、ディップチューブ１０１は、図２および３から見て取れるように、入り口１１に設置することもできるが、ディップチューブ１０１はポンプの部分を形成しているわけではなく、単にその付属物となっているだけである。
【００１９】
実際には、軸方向の高さHS１、HS２、HI１、そしてHI２は全て７〜９mmとすることができる。理想的な形として、HI２はほぼ８．２mm、そしてHI１は８．８mmに等しく、そしてガスケットの厚みは０．６mmである。このようにすれば、受けカラー５２がポンプの下からほぼ半分の位置に置かれている状態で、バランスが良く特にコンパクトである、というポンプを提供できる。図２および３において、さらに留意すべき点として、ポンプの下側端部１０は、ネックの中において、下向きに容器本体の内部へ突き出すことはない、という位置にある。かぶせフープ４がショルダー９２まで下に延びていることから、ポンプは完全に隠される。したがって、ポンプは目に見えない、と言うことができる。この特徴は、受けカラーがディスペンサ部材の下からほぼ半分の位置にあるにもかかわらず、実装することができる。
【００２０】
ネックの寸法は、以下のようにすることができる。すなわち、外径DEPは約１３mm、内径DICは約８mm、そしてHI１とHI２に関しては、ネックの高さが約７〜９mmとなっている。下側部分１３における本体の外径は、６〜７mmにすることができる。
こうして、全体の高さがディスペンサヘッドを除いて１６〜１７mm、ディスペンサヘッドを含めて１７〜１９mmである、というポンプが得られる。
【００２１】
こうしたポンプは、特にコンパクトで極めて短い。とりわけ、これは上側部分１４をネックの外部に置くことによって可能になる。ピストン６は前記部分の内部をスライド移動し、前記部分の内径はネックに左右されないことから、ストロークの高さを極めて小さくできると同時に、適当な容積を有するポンプチャンバ１５を作ることが可能となる。
【図面の簡単な説明】
【００２２】
【図１】本発明のディスペンサ部材の縦断面図である。
【図２】本発明のディスペンサ部材を組み入れた流体ディスペンサの上側部分の縦断面図である。
【図３】図２に示すディスペンサの上側部分の正面図である。
【図１】
2006512205.tif 000003
【図２】
2006512205.tif 000004
【図３】
2006512205.tif 000005
【国際調査報告】
2006512205.tif 000006
2006512205.tif 000007
2006512205.tif 000008
2006512205.tif 000009
2006512205.tif 000010
2006512205.tif 000011